(57)【要約】      （修正有）【課題】基板の複数の支持部によりカップに充分な支持効果を提供し、前記発光装置パッケージを前記基板から円滑に取り外するようにし、カップを損傷又は破壊から保護し、また発光装置パッケージの製造の効率及び品質を改良する発光装置のパッケージフレーム用の基板及び発光装置パッケージを提供する。【解決手段】発光装置のパッケージフレーム用の基板１０は、該基板にカップを支持すべくパッケージフレーム１４の周りに形成された支持部１６を備える少なくとも１つのフレームユニット１２を含む。各支持部は、前記支持部の下端が前記基板の底面と同一面となることにより１つの段部を有する。したがって、前記支持部に対応して前記カップに設けられた凹所は、発光装置パッケージがプレス工程により前記基板から円滑に取り外されるように滑らかな内面を有する。【選択図】図１
0003168024.tif 000002
【実用新案登録請求の範囲】
【請求項１】
発光装置のパッケージフレーム用の基板であって、少なくとも１つのフレームユニットを含み、
前記フレームユニットは、カップに結合されるパッケージフレームであって発光チップに電気的に接続されるパッケージフレームと、前記フレームユニットに形成され、前記基板の底面に延びる複数の支持部であって対応する前記カップを前記基板に支持するように前記パッケージフレームの周囲に配置された複数の支持部とを備え、
該支持部は、上端と、該上端に設けられた凹部と、前記基板の前記底面と同一面の下端とを有する、基板。
【請求項２】
前記フレームユニットの各支持部は、前記カップの縦の長さ寸法の１／１０〜１／５０の範囲にある幅寸法を有する、請求項１に記載の基板。
【請求項３】
前記フレームユニットの各支持部の前記幅寸法は、前記カップの縦の長さ寸法の１／１５〜１／２０の範囲にある、請求項２に記載の基板。
【請求項４】
前記フレームユニットの各支持部の前記幅寸法は、前記カップの縦の長さ寸法の１／３５〜１／４５の範囲にある、請求項２に記載の基板。
【請求項５】
前記フレームユニットの各支持部は、前記凹部の底部に形成された突出フランジを有する、請求項１〜４のいずれか１項に記載の基板。
【請求項６】
前記フレームユニットの各支持部は、半円形の横断面を有する、請求項５に記載の基板。
【請求項７】
前記フレームユニットの各支持部は、矩形の横断面を有する、請求項５に記載の基板。
【請求項８】
前記フレームユニットの各支持部は、三角形の横断面を有する、請求項５に記載の基板。
【請求項９】
前記フレームユニットの各支持部は、半円形の横断面を有する、請求項１〜４のいずれか１項に記載の基板。
【請求項１０】
前記フレームユニットの各支持部は、矩形の横断面を有する、請求項１〜４のいずれか１項に記載の基板。
【請求項１１】
前記フレームユニットの各支持部は、三角形の横断面を有する、請求項１〜４のいずれか１項に記載の基板。
【請求項１２】
パッケージフレームと、該パッケージフレームに取り付けられたカップとを含み、
前記カップは、縦の長さ寸法と、底面と、少なくとも１つの側面と、該側面に設けられ、かつ前記カップの底面に延びる複数の凹所とを備え、
各凹所は、上端と、内面と、前記凹所の前記上端において前記内面に形成された凸部であって、前記内面の前記凸部の下側の部分が滑らかな面となるように形成された凸部とを有する、発光装置パッケージ。
【請求項１３】
各凹所は、前記カップの縦の長さ寸法の１／１０から１／５０の範囲にある幅寸法を有する、請求項１２に記載の発光装置パッケージ。
【請求項１４】
各凹所の前記幅寸法は前記カップの縦の長さ寸法の１／１５から１／２０の範囲にある、請求項１３に記載の発光装置パッケージ。
【請求項１５】
各凹所の前記幅寸法は前記カップの縦の長さ寸法の１／３５から１／４５の範囲にある、請求項１３に記載の発光装置パッケージ。
【請求項１６】
各凹所は、該凹所の前記凸部の底に隣接した内面に設けられた溝を有する、請求項１２から１５に記載の発光装置パッケージ。
【請求項１７】
各凹所は半円形の横断面を有する、請求項１６に記載の発光装置パッケージ。
【請求項１８】
前記カップは矩形の横断面を有し、また前記カップの縦の長さ寸法は、該カップの長辺の長さ寸法である、請求項１７に記載の発光装置パッケージ。
【請求項１９】
前記カップは円形の横断面を有し、前記カップの縦の長さ寸法は該カップの直径寸法である、請求項１７に記載の発光装置パッケージ。
【請求項２０】
各凹所は矩形の横断面を有する、請求項１６に記載の発光装置パッケージ。
【請求項２１】
前記カップは矩形の横断面を有し、前記カップの縦の長さ寸法は前記カップの長辺の長さ寸法である、請求項２０に記載の発光装置パッケージ。
【請求項２２】
前記カップは円形の横断面を有し、前記カップの縦の長さ寸法は前記カップの直径寸法である、請求項２０に記載の発光装置パッケージ。
【請求項２３】
各凹所は三角形の横断面を有する、請求項１６に記載の発光装置パッケージ。
【請求項２４】
前記カップは矩形の横断面を有し、前記カップの縦の長さ寸法は、前記カップの長辺の長さ寸法である、請求項２３に記載の発光装置パッケージ。
【請求項２５】
前記カップは円形の横断面を有し、前記カップの縦の長さ寸法は前記カップの直径寸法である、請求項２３に記載の発光装置パッケージ。
【請求項２６】
各凹所は半円形の横断面を有する、請求項１２から１５のいずれか１項に記載の発光装置パッケージ。
【請求項２７】
各凹所は矩形の横断面を有する、請求項１２から１５のいずれか１項に記載の発光装置パッケージ。
【請求項２８】
各凹所は三角形の横断面を有する、請求項１２から１５のいずれか１項に記載の発光装置パッケージ。
【請求項２９】
前記カップは矩形の横断面を有し、前記カップの縦の長さ寸法は前記カップの長辺の長さ寸法である、請求項１２から１５のいずれか１項に記載の発光装置パッケージ。
【請求項３０】
前記カップは円形の横断面を有し、前記カップの縦の長さ寸法は前記カップの直径寸法である、請求項１２から１５のいずれか１項に記載の発光装置パッケージ。
【考案の詳細な説明】
【技術分野】
【０００１】
本考案は、発光装置のパッケージフレーム用の基板及び発光装置パッケージに関し、特に、発光装置パッケージを基板から容易に取り外すことができる基板に関する。
【背景技術】
【０００２】
従来のＬＥＤパッケージは、パッケージフレーム及び該パッケージフレームに取り付けられたカップを含む。ＬＥＤチップは前記パッケージフレームに取り付けられており、前記カップは、前記ＬＥＤパッケージを形成すべく、接着剤又は封止剤で満たされる。図７及び８を参照するに、ＬＥＤパッケージを製造すべく、基板５０は少なくとも１つのフレームユニット５２を含む。各フレームユニット５２は、カップ６０と結合され、またＬＥＤチップと電気的に接続されるパッケージフレーム５４を備える。チップの固定、配線、及び封止工程の後に、ＬＥＤパッケージは基板５０に設けられる。次に、前記ＬＥＤパッケージは、型打ちによるプレス工程により基板５０から取り外される。試験工程の後、ＬＥＤパッケージの製造工程は終了する。或いは、前記プレス工程は、カップ６０がパッケージフレーム５４に形成された後に、チップの固定、配線、及び封止工程の前に行われてもよい。
【０００３】
さらに、カップ６０を支持するべく、複数の支持部５６が基板５０の各フレームユニット５２に形成されている。さらに図９を参照するに、支持部５６は、カップ６０に充分な支持効果を提供すべく広い幅寸法を有する。各支持部５６は、２つの段部を形成するように、プレス工程により支持部５６の上端に形成された上端凹部５６２と、支持部５６の下端に形成された下端凹部５６４とを有し、これにより、支持部５６から突出する支持突出部５６６が支持部５６に形成される。その結果、複数の凹所６２が、図１０及び１１に示すように、カップ６０の支持部５６に対応した位置に形成され、また各凹所６２は、対応した支持部５６の支持突出部５６６に起因して、凹所６２の内面に形成された凹部６２２を有する。したがって、カップ６０における凹所６２の内面は平坦にならない。
【０００４】
しかし、従来のＬＥＤパッケージがプレス工程により基板から取り外されると、カップ６０は、支持部５６の支持突出部５６６が２つの段部を有するため破壊され易い。さらに、支持部５６が大きな幅寸法を有するため、基板５０から前記ＬＥＤパッケージを取り外すために大きなプレス力が必要となる。したがって、カップ６０は容易に損傷を受け又は破壊され、前記ＬＥＤパッケージの構造強度及び機能が影響を受ける。
【０００５】
この欠点を克服すべく、本考案は、上記の問題を軽減又は解消する発光装置のパッケージフレーム及び発光装置パッケージ用の基板を提供すること目的とする。
【考案の概要】
【考案が解決しようとする課題】
【０００６】
本考案の主な目的は、基板の複数の支持部によりカップに充分な支持効果を提供し、前記発光装置パッケージを前記基板から円滑に取り外するようにし、カップを損傷又は破壊から保護し、また発光装置パッケージの製造の効率及び品質を改良する発光装置のパッケージフレーム用の基板及び発光装置パッケージを提供することである。
【課題を解決するための手段】
【０００７】
前記基板は少なくとも１つのフレームユニットを含み、各フレームユニットはパッケージフレームと複数の支持部とを備える。前記パッケージフレームは、カップに結合されるように適用され、また発光チップに電気的に接続される。前記支持部は、フレームユニットに設けられており、前記基板の底面に延び、また前記基板の対応する前記カップを支持するように前記パッケージフレームの周りに配置されている。各支持部は、上端と、該上端に規定される凹部と、前記基板の底面と同一面の下端とを有する。
【０００８】
前記発光装置パッケージは、パッケージフレームとカップとを含む。そのカップは、長手方向の長さ寸法と、底面と、少なくとも１つの側面と、複数の凹所とを備え、また前記パッケージフレームに取り付けられる。前記凹所は、少なくとも１つの前記側面に設けられ、前記カップの底面に延びる。各凹所は、上端と、内面と、前記凹所の前記上端において前記内面に形成された凸部であって、前記内面の前記凸部の下側の部分が滑らかな面となるように形成された凸部とを有する。
【考案の効果】
【０００９】
したがって、前記支持部は、上記した製造工程において、前記カップに充分な支持効果を提供することができる。前記支持部の前記下端が前記基板の前記底面と同一面であり、また前記凹みが前記支持部の上端にのみ形成されているから、各支持部は１つの段部を有する。これにより、前記発光装置パッケージは、前記支持部により提供される円滑な案内効果によりプレス工程で前記基板から容易に取り外され、前記カップが損傷を受け又は破壊されることを防止できる。したがって、前記発光装置パッケージの不良率を下げることが可能となり、前記発光装置パッケージの製造の効率及び品質を高めることができる。
【００１０】
本考案のその他の目的、利点及び新規な特徴は、添付図面を参照し、以下の詳細な説明から明らかになる。
【図面の簡単な説明】
【００１１】
【図１】本考案に係る、発光装置のパッケージフレームに関する基板の部分平面図。
【図２】図１に示した基板と一体とされた発光装置パッケージの製造工程斜視図。
【図３】図２の３−３線に沿って得た発光装置パッケージの拡大断面図。
【図４】図２に示した発光装置パッケージの拡大斜視図。
【図５】図２に示した発光装置パッケージの他の拡大斜視図。
【図６】図２に示した、プレス工程により基板から取り外される発光装置パッケージの拡大断面図。
【図７】発光装置のパッケージフレームに関する従来の基板の部分平面図。
【図８】図７に示した基板による従来の発光装置パッケージの製造工程斜視図。
【図９】図８に示した９−９線に沿って得た従来の発光装置パッケージの拡大断面図。
【図１０】図８に示した従来の発光装置パッケージの拡大斜視図。
【図１１】図８に示した従来の発光装置パッケージの他の拡大斜視図。
【考案を実施するための形態】
【００１２】
図１〜３を参照するに、本考案に係る発光装置のパッケージフレーム用の基板１０は、金属板又は金属シートであり、少なくとも１つのフレームユニット１２を含む。各フレームユニット１２は、パッケージフレーム１４と、複数の支持部１６とを備える。パッケージフレーム１４は、カップ２０と結合され、かつＬＥＤチップのような発光チップに電気的に接続されるように適応される。パッケージフレーム１４は、ベース１４２と、ベース１４２に電気的に接続される複数の接続脚１４４とを備える。ベース１４２は、前記発光チップが取り付けられるように適応される。接続脚１４４は、パッケージフレーム１４が薄型ディスプレイ又は薄型テレビ用の薄型発光装置に適用されるべく、図示するように、ベース１４２から水平方向に相対するように延びる。ベース１４２の形状並びに接続脚１４４の形状、数量及び配置は、設計に応じて変更することができ、本考案において制限を受けない。
【００１３】
支持部１６は、フレームユニット１２に設けられており、基板１０の底面に延び、カップ２０を基板１０に支持すべくパッケージフレーム１４の周りに配置されている。各支持部１６は、半円、矩形又は三角形の横断面を有し、またカップ２０の縦の長さ寸法の１／１０〜１／５０の範囲の幅寸法を有する。フレームユニット１２が大きなパッケージに適用されるとき、支持部１６の幅寸法は、カップ２０の縦の長さ寸法の１／１５〜１／２０の範囲で変動する。フレームユニット１２が小さいパッケージに適用されるとき、支持部１６の幅寸法はカップ２０の縦の長さ寸法の１／３５〜１／４５の範囲で変動する。したがって、支持部１６の幅寸法の範囲は、１／１０、１／１５及び１／５０等の境界値を含む。さらに、カップ２０の横断面が矩形のとき、カップ２０の縦の長さ寸法は、カップ２０の長辺の長さ寸法となる。カップ２０の横断面が円形のとき、カップ２０の縦の長さ寸法は、カップ２０の直径寸法となる。カップ２０の横断面が他の形状のとき、カップ２０の縦の長さ寸法は、カップ２０の横断面の内接円又は外接円の直径寸法となる。各支持部１６は、基板１０の頂面と凹部１６２の底面との間に段差が形成されるように、支持部１６の上端に設けられた凹部１６２を有する。各支持部１６は、さらに、支持部１６の上端に凹部１６２の底面から突出し、凹部１６２に形成された突出フランジ１６４を有する。さらに、支持部１６の下端は、本考案に係る支持部１６が１つの段部のみを有するように、基板１０の底表面と同一面上にある。
【００１４】
図３〜５を参照するに、本考案に係る発光装置パッケージは、前記したようなパッケージフレーム１４と、カップ２０とを含む。カップ２０は、射出成形工程によりパッケージフレーム１４に設けられ、縦の長さ寸法と、カップ２０内の機能部２２とされ、かつフレーム本体１４のベース１４２が露出するように、カップ２０内に設けられたキャビティとを有する。ＬＥＤチップのような発光チップは、機能部２２に取り付けられ、また機能部２２は、発光装置パッケージを形成すべく接着剤又は封資剤で満たされる。さらに、接続脚１４４は、回路基板に電気的に接続され、又は該回路基板に直接半田付けされるべく、カップ２０から露出され、又は突出している。カップ２０は、さらに、少なくともその一方の側面に設けられ、かつカップ２０の底面に延びる複数の凹所２４を有する。凹所２４の位置と数量とは、基板１０の支持部１６に対応する。各凹所２４は、半円、矩形又は三角形の横断面を有し、またカップ２０の縦の長さ寸法の１／１０〜１／５０の範囲の幅寸法を有する。好ましくは、凹所２４の幅寸法は、寸法の異なる発光装置パッケージに適用すべく、カップ２０の縦の長さ寸法の１／１５〜１／２０又は１／３５〜１／４５の範囲とされる。凹所２４の幅寸法は、１／１０、１／１５、１／５０等のような境界値を含む。さらに、カップ２０の横断面が矩形であるとき、カップ２０の縦の長さ寸法はカップ２０の長辺の長さ寸法となる。カップ２０の横断面が円形であるとき、カップ２０の縦の長さ寸法はカップ２０の直径寸法となる。カップ２０の横断面が他の形状であるとき、カップ２０の縦の長さ寸法はカップ２０の横断面の内接円又は外接円の直径寸法となる。各凹所２４は、凸部２４２と溝２４４とを有する。凸部２４２は、凹所２４の内面の上端に形成され、また支持部１６に対応する凹み１６２に対応している。溝２４４は、凸部２４２の底面に隣接する前記内面に設けられ、また支持部１６に対応する突出フランジ１６４に対応する。支持部１６の凹部１６２及び突出フランジ１６４とカップ２０の凸部２４２及び溝２４４とに関連して、カップ２０は、基板１０の支持部１６に強固に支持され、また充分な支持効果を受ける。各凹所２４の凸部２４２より下側の部分はカップ２０の底面に向けて延びる滑らかな面とされている。
【００１５】
発光装置パッケージを形成すべく、図２及び６を参照するに、少なくとも１つのフレームユニット１２は基板１０に形成されており、またパッケージフレーム１４に結合され、また対応するフレームユニット１２の支持部１６により支持されたカップ２０は射出成形で対応するフレームユニット１２に形成される。複数の凹所２４は、カップ２０を基板１０に強固に支持する支持部１６に対応してカップ２０の側面に形成される。チップの固定、配線及び封止工程の後、本考案に係る発光装置パッケージは組み立てられる。次いで、前記発光装置パッケージは、プレス工程により基板１０から取り外される。次いで、試験工程が進められ、前記発光装置パッケージの製造が行われる。他の実施例として、パッケージフレーム１４にカップ２０が形成された後に、チップの固定、配線、及び封止工程の前に、前記したプレス工程を行うことができる。
【００１６】
したがって、支持部１６は、製造工程において、カップ２０に十分な支持効果を提供できる。支持部１６の幅寸法をカップ２０の縦の長さ寸法の１／１０〜１／５０の範囲とすることにより、カップ２０を支持部１６から取り外すプレス力を減ずることができる。さらに図６を参照するに、支持部１６の下端は、基板１０の底面と同一面であり、各支持部１６は、支持部１６の下端に向けて延びる平坦な案内面を有する。その結果として、発光装置パッケージは、支持部１６により提供される円滑な案内能力のために図に示された矢印の方向に沿った力でプレス工程により基板１０から容易に取り外され、これにより、カップ２０が損傷を受け又は破壊されることがない。そして、発光装置パッケージの不良率を低下させ、発光装置パッケージの製造効率及び品質を高めることができる。
【００１７】
本考案の様々な特徴や利点を詳細な構造や機能とともに上記にて説明してきたが、開示は一例にすぎない。変更すること、特に形状や大きさ、部品の配置を変更することは、添付の請求項が表現する言葉の広い解釈により定められる範囲を超えない限り可能である。
【符号の説明】
【００１８】
１０    基板
１２    フレームユニット
１４    パッケージフレーム（フレーム本体）
１４２    ベース
１４４    接続脚
１６    支持部
１６２    凹部
１６４    突出フランジ
２０    カップ
２２    機能部
２４    凹所
２４２    凸部
２４４    溝
【図１】
0003168024.tif 000003
【図２】
0003168024.tif 000004
【図３】
0003168024.tif 000005
【図４】
0003168024.tif 000006
【図５】
0003168024.tif 000007
【図６】
0003168024.tif 000008
【図７】
0003168024.tif 000009
【図８】
0003168024.tif 000010
【図９】
0003168024.tif 000011
【図１０】
0003168024.tif 000012
【図１１】
0003168024.tif 000013